(57)【要約】【課題】  ケース本体の前部が楔状となり、自動販売機の狭い取出口からでも取り出すことができるカードケースを提供する。【解決手段】  カードケース１は、下面板５と、前面板６、後面板９と、右面板１１と、左面板１３と、前面板６に連設された第１の上面板７と、後面板９に連設された第２の上面板１０と、右面板１１に連設された右折曲片１２と、左面板１３に連設された左折曲片１４とからなる。カードケース１は、前面板６が下端縁２１を中心として後方に折曲して、下面板５の前部５ａに第１の上面板７の前部７ａが近接し、ケース本体２の前部２ａの厚みを薄くすることができる。【選択図】        図１
2005187000.tif 000002
【特許請求の範囲】
【請求項１】
複数枚のカードを収容するカードケースであって、
ケース本体は、
下面板と、
下面板の前端縁に下端縁が連設された前面板と、
前面板の上端縁に前端縁が連設された第１の上面板と、
下面板の後端縁に下端縁が連設された後面板と、
後面板の上端縁に後端縁が連設された第２の上面板と、
下面板の右端縁に下端縁が連設された右面板と、
右面板の上端縁に連設された右折曲片と、
下面板の左端縁に下端縁が連設された左面板と、
左面板の上端縁に連設された左折曲片とからなり、
右折曲片と左折曲片には、挿入溝が形成され、
第２の上面板は、前記右折曲片と左折曲片の挿入溝に、後方から前方に向かって挿入される挿入片が設けられ、さらに差込溝が形成され、
第１の上面板は、第２の上面板の差込溝に、前方から後方に向かって差し込まれる差込片が設けられ、
前面板が下端縁を中心として後方に折曲して、下面板の前部に第１の上面板の前部が近接し、ケース本体の前部の厚みを薄くすることができることを特徴とするカードケース。
【請求項２】
右面板及び左面板は、前面板が下端縁を中心として後方に折曲しても前面板と当接しないように形成されていることを特徴とする請求項１記載のカードケース。
【請求項３】
後面板は、前面板が下端縁を中心として後方に折曲してケース本体の前部の厚みを薄くすると、第１の上面板及び第２の上面板が後方に移動し、下端縁を中心として後方に折曲するように構成されていることを特徴とする請求項１又は２記載のカードケース。
【請求項４】
下面板は、ケース本体に収容されるカードより長く形成されており、第１の上面板の差込片は、第２の上面板の第２の差込溝に対して摺動自在に差し込まれ、前面板が下端縁を中心として後方に折曲してケース本体の前部の厚みを薄くすると、第１の上面板のみが後方に移動するように構成されていることを特徴とする請求項１又は２記載のカードケース。
【発明の詳細な説明】
【技術分野】
【０００１】
本願発明は、複数枚のカードを収容したカードケースに関する。
【背景技術】
【０００２】
従来の複数枚のカードを収容するカードケースは、ケース本体が、下面板と、右面板と、左面板と、上面板と、前面板と、後面板とによって矩形箱状に形成されている。前面板及び後面板は、複数の接曲片によって折り畳まれて形成されている。この従来のカードケースは、下面板の両端縁に形成された折曲線を介して右面板と左面板が連設され、右面板と左面板の上端縁に折曲線を介して上面板が連設されている（例えば、特許文献１）。
【特許文献１】実公昭４３−１１０６０号公報
【発明の開示】
【発明が解決しようとする課題】
【０００３】
ところで、このようなカードケースの販売形態として、自動販売機等に収納し、当該自
動販売機等の商品取出口近傍に設けられたローラー等よって商品取出口へと送り出して１ケースづつ販売することが考えられる。この場合、カードケースに入れるカードの枚数を増やすと、カードケースの厚みが増加し取出口の上縁にケース本体の前部上端が引っ掛かり、詰まってしまうため、カードケースに収容できるカードの枚数に上限があるという問題点があった。カードケースの厚み毎に、すなわち、収容するカードの枚数に応じて異なる自動販売機等で販売することが考えられるが、効率が悪いためカードケースの厚みが変化しても同一の自動販売機等で販売できることが望ましい。そこで、商品取出口を予め大きく設けることが考えられるが、この場合、カードの枚数が少なくカードケースが薄い場合は、２ケース以上がまとめて送り出されるという不具合が生じる可能性がある。また、カードケースの厚みに応じて商品取出口の大きさを変更する機構を自動販売機等に設けることは、自動販売機等の高額化、複雑化を招くことになる。そこで、送り出されるときのみカードケースの厚みが薄くなるようにすることが可能であれば、自動販売機等の商品取出口の大きさが一定であっても引っ掛かることなく、確実に１ケースづつカードケースを送り出すことができる。しかし、従来のカードケースは、ケース本体の前部を薄くさせるために、前面板を下面板に対して後方に傾けようとしても、上面板が右面板と左面板の上端縁に連設されているので、上面板が後方に移動することができないという問題点があった。
【０００４】
本願発明は、上記問題点に鑑み案出したものであって、自動販売機等に収納されて取り出される時、前面板が後方に傾斜して、ケース本体の前部が薄く楔状となり、詰まることなく取出口から取り出すことができるカードケースを提供することを目的とする。
【課題を解決するための手段】
【０００５】
本願請求項１に係るカードケースは、上記目的を達成するため、複数枚のカードを収容するカードケースであって、ケース本体は、下面板と、下面板の前端縁に下端縁が連設された前面板と、前面板の上端縁に前端縁が連設された第１の上面板と、下面板の後端縁に下端縁が連設された後面板と、後面板の上端縁に後端縁が連設された第２の上面板と、下面板の右端縁に下端縁が連設された右面板と、右面板の上端縁に連設された右折曲片と、下面板の左端縁に下端縁が連設された左面板と、左面板の上端縁に連設された左折曲片とからなり、右折曲片と左折曲片には、挿入溝が形成され、第２の上面板は、前記右折曲片と左折曲片の挿入溝に、後方から前方に向かって挿入される挿入片が設けられ、さらに差込溝が形成され、第１の上面板は、第２の上面板の差込溝に、前方から後方に向かって差し込まれる差込片が設けられ、前面板が下端縁を中心として後方に折曲して、下面板の前
部に第１の上面板の前部が近接し、ケース本体の前部の厚みを薄くすることができる。
【０００６】
本願請求項２に係るカードケースは、上記目的を達成するため、右面板及び左面板は、前面板が下端縁を中心として後方に折曲しても前面板と当接しないように形成されている。
【０００７】
本願請求項３に係るカードケースは、上記目的を達成するため、後面板は、前面板が下端縁を中心として後方に折曲してケース本体の前部の厚みを薄くすると、第１の上面板及び第２の上面板が後方に移動し、下端縁を中心として後方に折曲するように構成されている。
【０００８】
本願請求項４に係るカードケースは、上記目的を達成するため、下面板は、ケース本体に収容されるカードより長く形成されており、第１の上面板の差込片は、第２の上面板の第２の差込溝に対して摺動自在に差し込まれ、前面板が下端縁を中心として後方に折曲してケース本体の前部の厚みを薄くすると、第１の上面板のみが後方に移動するように構成されている。
【発明の効果】
【０００９】
本願発明に係るカードケースは、第１の上面板が右面板と左面板に固定されていないため、前後方向の移動が可能であり、そのため、前面板が下端縁を中心として折曲することができ、前面板が後方に折曲すると、第１の上面板が後方に移動しつつ第１の上面板の前部が下面板の前部に近接し、ケース本体の前部の厚みを薄くすることができるという効果がある。そのため、自販機に収納され、取出口から取り出される時、前面板が折曲して、前部の厚みが薄くなるため、ケース本体の前端上部が取出口に当接して取出口に引っ掛かるということがなく、確実に取り出すことができるという効果がある。
【００１０】
本願発明に係るカードケースは、前面板が下端縁を中心として後方に折曲しても、前面板が右面板及び左面板に当接しないので、前面板の折曲が容易に行われるという効果がある。
【００１１】
本願発明に係るカードケースは、後面板が下端縁を中心として後方に折曲することができるので、前面板が下端縁を中心として後方に折曲してケース本体の前部の厚みを薄くすると、第１の上面板及び第２の上面板が後方に移動して後面板が後方に折曲し、前面板の折曲を阻止しないという効果がある。
【００１２】
本願発明に係るカードケースは、下面板がケース本体に収容されるカードより長く形成され、第１の上面板の差込片が第２の上面板の第２の差込溝に対して摺動自在に差し込まれると、前面板が下端縁を中心として後方に折曲してケース本体の前部の厚みを薄くして、第１の上面板が後方に移動しても、第２の上面板が第１の上面板と連動して後方に移動することがなく、従って後面板を後方に折曲させなくても前面板を後方に折曲させることができるという効果がある。
【発明を実施するための最良の形態】
【００１３】
本願発明の実施の形態を図１乃至図２に基づいて説明する。図１は、本願発明に係るカードケースの一つの実施の形態を示す全体組立斜視図である。図２は、カードケースの展開図である。図３は、カードケースの組み立てを説明する斜視図である。図４は、カードケースの側面図である。図５は、カードケースの使用形態を説明する説明図である。図６、７は、カードケースの機能を説明する側面図である。図８は、紙帯によって拘束された複数のカードの斜視図である。
【００１４】
カードケース１は、複数枚のカードＣを収容するカードケースである。ケース本体２は、下面板５と、下面板５の前端縁１６に下端縁２１が連設された前面板６と、前面板６の上端縁２２に前端縁２８が連設された第１の上面板７と、下面板５の後端縁１７に下端縁３６が連設された後面板９と、後面板９の上端縁３７に後端縁４２が連設された第２の上面板１０と、下面板５の右端縁１８に下端縁６２が連設された右面板１１と、右面板１１の上端縁６３に連設された右折曲片１２と、下面板５の左端縁１９に下端縁７６が連設された左面板１３と、左面板１３の上端縁７７に連設された左折曲片１４とからなる。右折曲片１２と左折曲片１４には、挿入溝７２，８９が形成されている。第２の上面板１０は、前記右折曲片１２と左折曲片１４の挿入溝７２，８９に、後方から前方に向かって挿入される挿入片５３，５４が設けられ、さらに差込溝４７が形成されている。第１の上面板７は、第２の上面板１０の差込溝４７に、前方から後方に向かって差し込まれる差込片３３が設けられ、前面板６が下端縁２１を中心として後方に折曲して、下面板５の前部５ａに第１の上面板７の前部７ａが近接し、ケース本体２の前部２ａの厚みを薄くすることができる。
【００１５】
右面板１１及び左面板１３は、前面板６が下端縁２１を中心として後方に折曲しても前面板６と当接しないように形成されている。後面板９は、前面板６が下端縁２１を中心として後方に折曲してケース本体２の前部２ａの厚みを薄くすると、第１の上面板７及び第２の上面板１０が後方に移動し、下端縁３６を中心として後方に折曲するように構成されている。
【００１６】
下面板５は、ケース本体２に収容されるカードＣより長く形成されており、第１の上面板７の差込片３３は、第２の上面板１０の第２の差込溝４７に対して摺動自在に差し込まれ、前面板６が下端縁２１を中心として後方に折曲してケース本体２の前部２ａの厚みを薄くすると、第１の上面板７のみが後方に移動するように構成されても構わない。
【００１７】
さらにカードケースについて詳細に説明する。カードケース１は、トランプ程度の大きさのカードＣを収容できる扁平状の矩形箱状に形成されている。即ち、カードケース１のケース本体２は、図２に示すように、１枚のシート３が折り畳まれて、扁平状に形成されたもので、下面板５と、前面板６と、第１の上面板７と、後面板９と、第２の上面板１０と、右面板１１と、右折曲片１２と、左面板１３と、左折曲片１４とからなる。
【００１８】
下面板５は、略長方形板状に形成され、前端縁１６と、後端縁１７と、右端縁１８と、左端縁１９を有する。下面板５は、長手方向の前端縁１６に折曲線２０が形成され、折曲線２０を介して前面板６の下端縁２１が連設されている。前面板６は、この下端縁２１と、上端縁２２と、下面板５の右端縁１８と略同じ直線を形成する右端縁２３と、下面板５の左端縁１９と略同じ直線を形成する左端縁２４を有する。前面板６は、カードケース１の高さ方向を形成するためのもので、カードケース１内に収容するカードＣの枚数に応じて長さが決定される。前面板６は、上端縁２２に折曲線２６が形成され、折曲線２６を介して第１の上面板７の前端縁２８が連設されている。
【００１９】
第１の上面板７は、この前端縁２８と、後端縁３０と、前面板６の右端縁２３と略同じ直線を形成する右端縁３１と、前面板６の左端縁２４と略同じ直線を形成する左端縁３２を有する。第１の上面板７は、幅が下面板５と略同じで、下面板５の半分より長く形成され、後端縁３０の略中間部に差込片３３が設けられている。差込片３３は、湾曲して突出しており、両端が後端縁３０に連設されている。後端縁３０は、略中心から左右両側に向かって斜めに傾斜している。
【００２０】
下面板５は、長手方向の後端縁１７に折曲線３５が形成され、折曲線３５を介して後面板９の下端縁３６が連設されている。後面板９は、この下端縁３６と、上端縁３７と、下
面板５の右端縁１８と略同じ直線を形成する右端縁３８と、下面板５の左端縁１９と略同じ直線を形成する左端縁３９を有する。後面板９は、前面板６と略同じ長さに形成されている。後面板９は、上端縁３７に折曲線４１が形成され、折曲線４１を介して第２の上面板１０の後端縁４２が連設されている。
【００２１】
第２の上面板１０は、この後端縁４２と、前端縁４３と、後面板９の右端縁３８と略同じ直線を形成する右端縁４５と、後面板９の左端縁３９と略同じ直線を形成する左端縁４６を有する。第２の上面板１０は、幅が下面板５と略同じで、下面板５の半分より長く形成され、前部１０ａが第１の上面板７の後部７ｂと重なるようになっている。第２の上面板１０の略中間部には、湾曲した差込溝４７が形成されている。第２の上面板１０の前端縁４３は、略中間部に半円状の切り欠き４９が形成され、切り欠き４９を挟んで左右両側に向かって斜めに傾斜縁５１、５２が形成されている。右側の傾斜縁５１には、略三角状の右挿入片５３が形成されている。左側の傾斜縁５２には、略三角状の左挿入片５４が形成されている。右挿入片５３は、右側縁５５と左側縁５６とからなる。右側縁５５は、第２の上面板１０の右端縁４５と略平行に形成されている。左挿入片５４は、右側縁５７と左側縁５８とからなる。左側縁５８は、第２の上面板１０の左端縁４６と略平行に形成されている。
【００２２】
下面板５は、短手方向の右端縁１８に折曲線６１が形成され、折曲線６１を介して右面板１１の下端縁６２が連設されている。右面板１１は、この下端縁６２と、上端縁６３と、下面板５の後端縁１７と略同じ直線を形成する後端縁６４と、後方に向かって傾斜している前端縁６５を有する。右面板１１は、前面板６と略同じ長さに形成されている。右面板１１は、上端縁６３に折曲線６６が形成され、折曲線６６を介して右折曲片１２の右端縁６７が連設されている。なお、右面板１１は、下面板５より短く形成され、前端縁６５が下面板５の前端縁１６より後方に位置している。
【００２３】
右折曲片１２は、右端縁６７と、左端縁６９と、後方に下降傾斜する上端縁７０と、前方に上昇傾斜する下端縁７１を有する。右折曲片１２は、前記右挿入片５３が挿入される右挿入溝７２が、第２の上面板１０の傾斜縁５１と略同じ傾斜角で傾斜して設けられている。
【００２４】
下面板５は、短手方向の左端縁１９に折曲線７５が形成され、折曲線７５を介して左面板１３の下端縁７６が連設されている。左面板１３は、この下端縁７６と、上端縁７７と、下面板５の後端縁１７と略同じ直線を形成する後端縁７９と、後方に向かって傾斜している前端縁８０を有する。左面板１３は、前面板６と略同じ長さに形成されている。左面板１３は、上端縁７７に折曲線８１が形成され、折曲線８１を介して左折曲片１４の左端縁８３が連設されている。なお、左面板１３は、下面板５より短く形成され、前端縁８０が下面板５の前端縁１６より後方に位置している。
【００２５】
左折曲片１４は、左端縁８３と、右端縁８５と、後方に下降傾斜する上端縁８６と、前方に上昇傾斜する下端縁８７を有する。左折曲片１４は、前記左挿入片５４が挿入される左挿入溝８９が、第２の上面板１０の傾斜縁５２と略同じ傾斜角で傾斜して設けられている。
【００２６】
カードケース１は、以上の構成を有し、以下のように組み立てられている。カードケース１のケース本体２は、１枚のシート３が折り畳まれて、扁平状に形成されている。下端縁６２の折曲線６１を内側に折曲して、右面板１１を下面板５に対して略直角に折り曲げる。右端縁６７の折曲線６６を内側に折曲して、右折曲片１２を下面板５に対して略平行に（右面板１１に対して略直角に）折り曲げる。下端縁７６の折曲線７５を内側に折曲して、左面板１３を下面板５に対して略直角に折り曲げる。左端縁８３の折曲線８１を内側
に折曲して、左折曲片１４を下面板５に対して略平行に（左面板１３に対して略直角に）折り曲げる。
【００２７】
下端縁３６の折曲線３５を内側に折曲して、後面板９を下面板５に対して略直角に折り曲げる。後端縁４２の折曲線４１を内側に折曲して、第２の上面板１０を下面板５に対して略平行に（後面板９に対して略直角に）折り曲げる。第２の上面板１０の折り曲げの際、右挿入片５３を右折曲片１２の右挿入溝７２に後方から挿入し、左挿入片５４を左折曲片１４の左挿入溝８９に後方から挿入する。第２の上面板１０は、右挿入片５３を右挿入溝７２に挿入し、左挿入片５４を左挿入溝８９に挿入することによって、後方のみ（右挿入片５３と左挿入片５４の引き抜き方向のみ）移動可能に取り付けられる。
【００２８】
カードケース１のケース本体２は、下面板５と、右面板１１と、右折曲片１２と、左面板１３と、左折曲片１４と、第２の上面板１０によって、上部９０が開放された形となっている。この上部９０から複数枚（約５枚程度）のカードＣを差し込んで、カードケース１に収容する。カードケース１に収容されたカードＣは、略Ｕ字状の切り欠き４９から指を押し当てて、簡単に引き出すことができる。
【００２９】
下端縁２１の折曲線２０を内側に折曲して、前面板６を下面板５に対して略直角に折り曲げる。前端縁２８の折曲線２６を内側に折曲して、第１の上面板７を下面板５に対して略平行に（前面板６に対して略直角に）折り曲げる。第１の上面板７の折り曲げの際、差込片３３を第２の上面板１０の差込溝４７に前方から挿入する。このようにして、複数枚のカードＣを収容したカードケース１が組み立てられる。第１の上面板７は、差込片３３を差込溝４７に差し込むことによって、前方のみ（差込片３３の引き抜き方向のみ）移動可能に取り付けられる。
【００３０】
後面板９は、右面板１１の後端縁６４と左面板１３の後端縁７９に当接しているため、略直角以上に前方に傾くことができないが、後方に傾くことができる。そのため、第２の上面板１０は、後方に移動可能となっている。前面板６は、右面板１１の前端縁６５と左面板１３の前端縁８０に当接することがないので、略直角以上に前方に傾くことができる。そのため、第１の上面板７は、前方は勿論のこと、後方にも移動可能となっている。
【００３１】
上記したカードケース１を、図４に示すように、自動販売機１００の収納室１０１に収納する。なお、自動販売機１００は、単体のカードＣを収納する収納室１０１と、収納室１０１内のカードＣを取り出す取出口１０２と、カードＣを取出口１０２に送り出す送り出しローラ１０３と、カードＣを送り出しローラ１０３に圧接させる重錘１０５と、送り出しローラ１０３を時計方向に回転させる、図示しない回転ハンドルと、図示しないコイン挿入口と、コイン挿入口から挿入されたコインによって回転ハンドルの回転を可能にするコインセレクターと、取出口１０２の前に設けられたカード排出路１０６と、カード排出路１０６内に設けられた逆止扉１０７，１０８とを有する。
【００３２】
取出口１０２は、収納室１０１内のカードＣが同時に複数枚取り出されないように、狭く形成され、最下部の次のカードＣが取出口１０２の上縁１０９に当接するようになっている。このように、取出口１０２が狭く形成された自動販売機１００では、従来の箱状のカードケースでは、厚み、すなわち、カードの収容枚数が取出口１０２の大きさによって制限される。なお、上縁１０９は、取出口１０２に向かって下降傾斜している。
【００３３】
コイン挿入口からコインを挿入し、回転ハンドルを回転すると、送り出しローラ１０３が時計方向に回転し、カードケース１の下面板５と送り出しローラ１０３との摩擦抵抗により、下面板５が取出口１０２側に移動する。第１の上面板７は、重錘１０５によって強制的の押さえられている。従って、前面板６が下端縁２１を中心として後方に折曲する。
前面板６が後方に折曲すると、下面板５の前部５ａに第１の上面板７の前部７ａが近接するので、ケース本体２の前部２ａの厚みが薄くなり、楔状となる。このように、カードケース１は、送り出しローラ１０３の回転によって、ケース本体２の前部２ａが変形して薄くなるので、狭い取出口１０２からでも取り出すことができる。
【００３４】
なお、ケース本体２の前部２ａが変形しなくても、収納室１０１内の最下部のカードケース１が取出口１０２に送られると、ケース本体２の前端上部２ｂが、取出口１０２の上縁１０９と当接するため、前面板６が下端縁２１を中心として後方に折曲する。前面板６が後方に折曲すると、下面板５の前部５ａに第１の上面板７の前部７ａが近接するので、ケース本体２の前部２ａの厚みを薄くして、楔状にすることができる。このように、カードケース１は、ケース本体２の前部２ａが薄くなるので、狭い取出口１０２からでも取り出すことができる。
【００３５】
カードケース１は、図６に示すように、前面板６が下端縁２１を中心として後方に折曲してケース本体２の前部２ａの厚みを薄くすると、第１の上面板７及び第２の上面板１０が後方に移動し、後面板９が下端縁３６を中心として後方に折曲する。従って、カードＣが下面板５と略同じ面積で形成されている場合、前面板６が後方に傾くと、ケース本体２内に収容されているカードＣが上に重なっている順番に従って後方にずれていくが、後面板９も後方に傾いているので、カードＣがケース本体２内で強制的に変形させられることがない。
【００３６】
また、カードケース１は、図７に示すように、カードＣより下面板５を長くしておくと、カードＣに接触することなく、前面板６が下端縁２１を中心として後方に折曲して、ケース本体２の前部２ａの厚みを薄くするので、図８に示すように、紙帯Ｐによって巻着され、ずれ難くなっているカードＣをケース本体２に収容しても構わない。また、第２の上面板１０の差込溝４７を幅広く形成しておけば、第１の上面板７の差込片３３が差込溝４７に対して前後方向に摺動自在となるので、図７に示すように、第１の上面板７のみが後方に移動し、第２の上面板１０が後方に移動することがない。
【００３７】
このように、カードケース１は、前面板６が後方に折曲して、ケース本体２の前部２ａを楔状に薄くすることができるので、既存のカードＣを１枚ずつ取り出すことができる自動販売機にも、自動販売機を改造することなく収納することができる。また、カードＣとカードケース１を重ねて収納し、カードケース１を当たりとして取り出すようにしても構わない。
【図面の簡単な説明】
【００３８】
【図１】本願発明に係るカードケースの一つの実施の形態を示す全体組立斜視図である。
【図２】カードケースの展開図である。
【図３】カードケースの組み立てを説明する斜視図である。
【図４】カードケースの側面図である。
【図５】カードケースの使用形態を説明する説明図である。
【図６】カードケースの機能を説明する側面図である。
【図７】カードケースの機能を説明する側面図である。
【図８】紙帯によって拘束された複数のカードの斜視図である。
【符号の説明】
【００３９】
Ｃ  カード
Ｐ  紙帯
１  カードケース
２  ケース本体
２ａ  前部
２ｂ  前端上部
３  シート
５  下面板
５ａ  前部
６  前面板
７  第１の上面板
７ａ  前部
７ｂ  後部
９  後面板
１０  第２の上面板
１０ａ  前部
１１  右面板
１２  右折曲片
１３  左面板
１４  左折曲片
１６  前端縁
１７  後端縁
１８  右端縁
１９  左端縁
２０  折曲線
２１  下端縁
２２  上端縁
２３  右端縁
２４  左端縁
２６  折曲線
２８  前端縁
３０  後端縁
３１  右端縁
３２  左端縁
３３  差込片
３５  折曲線
３６  下端縁
３７  上端縁
３８  右端縁
３９  左端縁
４１  折曲線
４２  後端縁
４３  前端縁
４５  右端縁
４６  左端縁
４７  差込溝
４９  切り欠き
５１  傾斜縁
５２  傾斜縁
５３  右挿入片
５４  左挿入片
５５  右側縁
５６  左側縁
５７  右側縁
５８  左側縁
６１  折曲線
６２  下端縁
６３  上端縁
６４  後端縁
６５  前端縁
６６  折曲線
６７  右端縁
６９  左端縁
７０  上端縁
７１  下端縁
７２  右挿入溝
７５  折曲線
７６  下端縁
７７  上端縁
７９  後端縁
８０  前端縁
８１  折曲線
８３  左端縁
８５  右端縁
８６  上端縁
８７  下端縁
８９  左挿入溝
９０  上部
１００  自動販売機
１０１  収納室
１０２  取出口
１０３  送り出しローラ
１０５  重錘
１０６  カード排出路
１０７  逆止扉
１０８  逆止扉
１０９  上縁
【図１】
2005187000.tif 000003
【図２】
2005187000.tif 000004
【図３】
2005187000.tif 000005
【図４】
2005187000.tif 000006
【図５】
2005187000.tif 000007
【図６】
2005187000.tif 000008
【図７】
2005187000.tif 000009
【図８】
2005187000.tif 000010